【手続補正書】
【提出日】令和1年9月6日(2019.9.6)
【手続補正１】
【補正対象書類名】明細書
【補正対象項目名】００５０
【補正方法】変更
【補正の内容】
【００５０】
こうして製造された建築板は、着色化粧建築板であり、平滑化された表面は、以下の品質基準を満たしている：ｄＬ＞１ｍｍのキャビティを有しないこと；上記表面は、１ｍ２の領域あたりｄＬ＜１ｍｍのキャビティを３つ有する；化粧建築板は、ＤＩＮ  ＥＮ  １３５０１−１による耐火性クラスＢ１の要件を満たしている。
本発明には下記の態様が含まれる。
＜１＞  少なくとも１つの平滑化化合物層を備え、好ましくは少なくとも１つのカラーコートを備える建築板の自動化された装飾方法であって、前記建築板を平滑化する工程及び前記建築板を装飾する工程を含み、
前記建築板を平滑化する工程は、少なくとも以下の工程：
前記建築板の表面の高低差が前記建築板の表面の全領域にわたって１ｍｍ以下となるように、前記建築板を公称厚さに調整する工程；
平滑化化合物の第一層を、前記建築板の表面に付与する工程；
前記平滑化化合物を前記建築板の表面構造中に圧入する工程；
前記建築板の公称厚さに再調整する工程、
を含む前記方法。
＜２＞  前記平滑化化合物を前記建築板の表面構造中に圧入する工程と、前記建築板の公称厚さに再調整する工程との間に、付与された前記平滑化化合物の少なくとも１０重量％を除去する更なる工程が実施されることを特徴とする、＜１＞に記載の方法。
＜３＞  平滑化化合物の第二層が付与され、その後、必要なら平滑化化合物の第三層が付与され、付与の際には、前記平滑化化合物を付与する工程、及び前記平滑化化合物の一部を除去する工程が再度実施されることを特徴とする、＜１＞又は＜２＞に記載の方法。
＜４＞  前記平滑化化合物の第二層及び／又は第三層の前記平滑化化合物の付与において、前記平滑化化合物の前記第一層の場合と比較して同じか又は少ない量の平滑化化合物が付与され、圧入されることを特徴とする、＜１＞〜＜３＞のいずれか１つに記載の方法。
＜５＞  前記平滑化化合物の圧入、及び／又は前記平滑化化合物の除去が、ローラーによって実施されることを特徴とする、＜１＞〜＜４＞のいずれか１つに記載の方法。
＜６＞  前記平滑化化合物を付与するための前記ローラーと、コーティングされるべき前記建築板が置かれる基材との間の間隔が、前記建築板の前記公称厚さ以下に調節されることを特徴とする、＜５＞に記載の方法。
＜７＞  少なくとも１つのカラーコートが、最後に平滑化された表面に付与され、所望によりカバー層を設けてもよいことを特徴とする、＜１＞〜＜６＞のいずれか１つに記載の方法。
＜８＞  前記平滑化化合物の付与にＵＶ光硬化性平滑化化合物が用いられ、且つ／又は前記少なくとも１つのカラーコート若しくはカバー層に少なくとも１つのＵＶ光硬化性ラッカーが用いられることを特徴とする、＜１＞〜＜７＞のいずれか１つに記載の方法。
＜９＞  前記少なくとも１つのカラーコートが、ラッカーのデジタル印刷及び／又はローラー付与によって作製されることを特徴とする、＜７＞又は＜８＞のいずれか１つに記載の方法。
＜１０＞  石膏結合建築板（特にプラスターボード、石膏繊維板）、セメント結合繊維板、鉱物質繊維板、チップボード又は木質複合板（特に未加工のパーティクルボード若しくはＭＤＦ板（中密度繊維板）若しくはＨＤＦ板（高密度繊維板））が、建築板として用いられることを特徴とする、＜１＞〜＜９＞のいずれか１つに記載の方法。
＜１１＞  建築板、及び前記建築板の表面に少なくとも１つのコーティングを備え、
前記コーティングは、少なくとも１つの平滑化化合物層を含み、好ましくは少なくとも１つのカラーコートを含み、
前記少なくとも１つのコーティングを含む前記建築板は、ＤＩＮ  ＥＮ  １３５０１−１による耐火性クラスＢ１の要件（好ましくは、耐火性クラスＡ２の要件）を少なくとも満たす、化粧建築板。
＜１２＞  前記コーティングが、前記少なくとも１つの平滑化化合物層に加えて、少なくとも１つのカラーコート及び／又はカバー層を備えることを特徴とする、＜１１＞に記載の化粧建築板。
＜１３＞  前記コーティングが、４ＭＪ／ｍ２未満の発熱量ＰＣＳを有することを特徴とする、＜１１＞又は＜１２＞のいずれか１つに記載の化粧建築板。
＜１４＞  前記平滑化化合物層が、ＵＶ光で硬化された平滑化化合物を含み、且つ／又は前記カラーコート及び／若しくはカバー層が、ＵＶ光で硬化されたラッカーを含むことを特徴とする、＜１１＞〜＜１３＞のいずれか１つに記載の化粧建築板。
＜１５＞  前記建築板が、石膏結合建築板（特にプラスターボード、石膏繊維板）、又はセメント結合繊維板であることを特徴とする、＜１１＞〜＜１４＞のいずれか１つに記載の化粧建築板。
【手続補正２】
【補正対象書類名】特許請求の範囲
【補正対象項目名】全文
【補正方法】変更
【補正の内容】
【特許請求の範囲】
【請求項１】
少なくとも１つの平滑化化合物層を備える建築板の自動化された装飾方法であって、前記建築板を平滑化する工程及び前記建築板を装飾する工程を含み、
前記建築板を平滑化する工程は、少なくとも以下の工程：
前記建築板の表面の高低差が前記建築板の表面の全領域にわたって１ｍｍ以下となるように、前記建築板を公称厚さに調整する工程；
平滑化化合物の第一層を、前記建築板の表面に付与する工程；
前記平滑化化合物を前記建築板の表面構造中に圧入する工程；
前記建築板の公称厚さに再調整する工程、
を含む前記方法。
【請求項２】
前記建築板が、少なくとも１つのカラーコートを備える、請求項１に記載の方法。
【請求項３】
前記平滑化化合物を前記建築板の表面構造中に圧入する工程と、前記建築板の公称厚さに再調整する工程との間に、付与された前記平滑化化合物の少なくとも１０重量％を除去する更なる工程が実施されることを特徴とする、請求項１又は請求項２に記載の方法。
【請求項４】
平滑化化合物の第二層が付与され、付与の際には、前記平滑化化合物を付与する工程、及び前記平滑化化合物の一部を除去する工程が再度実施されることを特徴とする、請求項１〜請求項３のいずれか一項に記載の方法。
【請求項５】
平滑化化合物の第二層の前記付与後に、平滑化化合物の第三層が付与され、付与の際には、前記平滑化化合物を付与する工程、及び前記平滑化化合物の一部を除去する工程が再度実施されることを特徴とする、請求項４に記載の方法。
【請求項６】
前記平滑化化合物の第二層及び／又は第三層の前記平滑化化合物の付与において、前記平滑化化合物の前記第一層の場合と比較して同じか又は少ない量の平滑化化合物が付与され、圧入されることを特徴とする、請求項４又は請求項５に記載の方法。
【請求項７】
前記平滑化化合物の圧入、及び／又は前記平滑化化合物の除去が、ローラーによって実施されることを特徴とする、請求項１〜請求項６のいずれか一項に記載の方法。
【請求項８】
前記平滑化化合物を付与するための前記ローラーと、コーティングされるべき前記建築板が置かれる基材との間の間隔が、前記建築板の前記公称厚さ以下に調節されることを特徴とする、請求項７に記載の方法。
【請求項９】
少なくとも１つのカラーコートが、最後に平滑化された表面に付与されることを特徴とする、請求項１〜請求項８のいずれか一項に記載の方法。
【請求項１０】
カバー層を設けることをさらに含む、請求項９に記載の方法。
【請求項１１】
前記平滑化化合物の付与にＵＶ光硬化性平滑化化合物が用いられ、且つ／又は前記少なくとも１つのカラーコート若しくはカバー層に少なくとも１つのＵＶ光硬化性ラッカーが用いられることを特徴とする、請求項１〜請求項１０のいずれか一項に記載の方法。
【請求項１２】
前記少なくとも１つのカラーコートが、ラッカーのデジタル印刷及び／又はローラー付与によって作製されることを特徴とする、請求項９〜請求項１１のいずれか一項に記載の方法。
【請求項１３】
石膏結合建築板、セメント結合繊維板、鉱物質繊維板、チップボード又は木質複合板が、建築板として用いられることを特徴とする、請求項１〜請求項１２のいずれか一項に記載の方法。
【請求項１４】
前記石膏結合建築板が、プラスターボード又は石膏繊維板である、請求項１３に記載の方法。
【請求項１５】
前記木質複合板が、未加工のパーティクルボード又はＭＤＦ板（中密度繊維板）又はＨＤＦ板（高密度繊維板）である、請求項１３又は請求項１４に記載の方法。
【請求項１６】
建築板、及び前記建築板の表面に少なくとも１つのコーティングを備え、
前記コーティングは、少なくとも１つの平滑化化合物層を含み、
前記少なくとも１つのコーティングを含む前記建築板は、ＤＩＮ  ＥＮ  １３５０１−１による耐火性クラスＢ１の要件を少なくとも満たす、化粧建築板。
【請求項１７】
前記建築板が、少なくとも１つのカラーコートを含む、請求項１６に記載の化粧建築板。
【請求項１８】
前記耐火性クラスＢ１の要件が、耐火性クラスＡ２の要件である、請求項１６又は請求項１７に記載の化粧建築板。
【請求項１９】
前記コーティングが、前記少なくとも１つの平滑化化合物層に加えて、少なくとも１つのカラーコート及び／又はカバー層を備えることを特徴とする、請求項１６〜請求項１８のいずれか一項に記載の化粧建築板。
【請求項２０】
前記コーティングが、４ＭＪ／ｍ２未満の発熱量ＰＣＳを有することを特徴とする、請求項１６〜請求項１９のいずれか一項に記載の化粧建築板。
【請求項２１】
前記平滑化化合物層が、ＵＶ光で硬化された平滑化化合物を含み、且つ／又はカラーコート及び／若しくはカバー層が、ＵＶ光で硬化されたラッカーを含むことを特徴とする、請求項１６〜請求項２０のいずれか一項に記載の化粧建築板。
【請求項２２】
前記建築板が、石膏結合建築板、又はセメント結合繊維板であることを特徴とする、請求項１６〜請求項２１のいずれか一項に記載の化粧建築板。
【請求項２３】
前記石膏結合建築板が、プラスターボード又は石膏繊維板である、請求項２２に記載の化粧建築板。